【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
複数の微小レンズが形成された透明な第１層と、前記第１層の下に配置され、複数の微小画像を備えた第２層とを有し、前記複数の微小レンズは微小レンズラスタに従って配置され、前記複数の微小画像は微小画像ラスタに従って配置される多層体であって、
前記第２層は、複数の微小画像領域を備え、前記微小画像領域はラスタ幅が３００μｍ未満の微小画像領域ラスタに従って配置されており、前記各微小画像領域は２以上の微小画像に関連付けられており、前記各微小画像領域における２以上の微小画像は互いに異なるものであり、前記微小画像が、０と１の間のＦG個の色値を含む規格化された色値スケールに対して、０の色値を有する複数の第１領域と、Ｇ個の異なる色の１つおよび０より大きくかつそれぞれ単一の色値を有する複数の第２領域を有し、各微小画像領域の２つ以上の前記微小画像の色が異なり、前記微小画像は、微小画像の組から、微小画像領域内に配置した前記微小画像の光学的作用を重ね合わせると、その結果が、Ｇ×ＦG個の色値を含む色空間における複数の色値で段階分けされた画像印象となるように、前記微小画像が選択され、前記各微小画像領域内における前記微小レンズラスタと前記微小画像ラスタのラスタ間隔は１０％未満だけ互いに異なることを特徴とする多層体。
【請求項２】
異なる微小画像が前記微小画像領域Ｎの各々に配置され、２つの隣接する微小画像領域からなる前記微小画像領域内において、前記Ｎ個の異なる微小画像の空間配置が異なることを特徴とする請求項１に記載の多層体。
【請求項３】
前記微小画像の前記第１領域が、無色、白色または透明領域であることを特徴とする請求項１または請求項２に記載の多層体。
【請求項４】
少なくともＳ個およびＧ×ＦG個の異なる微小画像が、各微小画像領域内に設けられることを特徴とする請求項１乃至３のいずれか１つに記載の多層体。
【請求項５】
異なる複数の微小画像からなる異なる組が、２つの隣接する微小画像領域内に設けられ、前記組内それぞれにおける光学的作用を加法的に重ね合わせると、それぞれの組から同じ濃淡値画像またはマルチカラー画像が得られるように、前記異なる組が選択されることを特徴とする請求項１乃至４のいずれか１つに記載の多層体。
【請求項６】
前記微小画像の複数の領域が、異なる光学的可変要素、特に異なる回折構造、異なる薄膜層要素または異なる液晶層で占有されることを特徴とする請求項１乃至５のいずれか１つに記載の多層体。
【請求項７】
前記微小画像が、画素ラスタ内に配置された画素を有することを特徴とする請求項１乃至６のいずれか１つに記載の多層体。
【請求項８】
前記微小レンズの直径が、１０μｍから１５０μｍの間であることを特徴とする請求項１乃至７のいずれか１つに記載の多層体。
【請求項９】
前記微小レンズラスタと前記微小画像ラスタが、互いにずれていることを特徴とする請求項１乃至８のいずれか１つに記載の多層体。
【請求項１０】
前記第１層と前記第２層が合わせて、１０μｍから１０００μｍ、特に１５μｍから５０μｍの間の厚さであることを特徴とする請求項１乃至９のいずれか１つに記載の多層体。
【請求項１１】
前記微小レンズが１つの層で被覆され、前記層と前記微小レンズが形成された層との間の屈折率の違いが０．２より大きいことを特徴とする請求項１乃至１０のいずれか１つに記載の多層体。
【請求項１２】
前記第１層が微小レンズ解析器の一部であり、前記第２層がセキュリティドキュメントの一部であり、前記第１層と第２層が互いに別個に配置されることを特徴とする請求項１乃至１１のいずれか１つに記載の多層体。
【請求項１３】
光学的セキュリティ機能を有する多層体の製造方法であって、
−Ｍを大なり１としたとき、表示をＭ個の画像領域に分割するステップと、
−前記Ｍ個の画像領域各々の色値を決定するステップと、
−Ｎを１より大きくしたとき、Ｎ個以上の異なる微小画像からなる組であって、
前記微小画像の各々はＭ個の画像領域からなり、前記Ｍ個の画像領域の各々は前記表示の各前記画像領域の色値に基づいてそれぞれ決定された色値を有する前記組を計算するステップと、
−微小レンズラスタ内に配置された複数の微小レンズが形成された透明な第１層を有する多層体を設けるステップと、
−微小画像領域ラスタに従って配置される複数の微小画像領域を含む第２層であり、前記複数の微小画像領域の各々は前記計算された微小画像の組から前記微小画像が、０と１の間のＦG個の色値を含む規格化された色値スケールに対して、０の色値を有する複数の第１領域と、Ｇ個の異なる色の１つおよび０より大きくかつそれぞれ単一の色値を有する複数の第２領域を有し、各微小画像領域の２つ以上の前記微小画像の色が異なり、前記微小画像は、微小画像の組から、微小画像領域内に配置した前記微小画像の光学的作用を重ね合わせると、その結果が、Ｇ×ＦG個の色値を含む色空間における複数の色値で段階分けされた画像印象となるように選択されたＮ個の微小画像を有しており、各前記微小画像領域において前記微小レンズラスタと微小画像ラスタのラスタ間隔が互いに１０％未満だけ異なり、前記微小画像領域ラスタのラスタ幅が３００μｍ未満であり、２つ以上の前記微小画像が各前記微小画像領域内で互いに異なる前記第２層を設けるステップと、
を有することを特徴とする方法。
【請求項１４】
前記複数の色値が、ＦG個の色値を含む彩度スケールに基づく彩度を有するＧ個の原色によって定義される色空間上で画像化されるものであり、
少なくともＦG×Ｇ個の異なる微小画像の組が計算され、
各前記微小画像がＭ個の画像領域を有し、
前記Ｍ個の画像領域の各々は、０と１の間で規格化された色値スケールに基づく、彩度値０、または彩度値１のいずれかを有することを特徴とする請求項１３に記載の方法。
【請求項１５】
Ｓ個の異なる微小画像の組が計算され、前記組がＮ個より多くの異なる微小画像を有し、
Ｎ個の微小画像の異なる組が、前記Ｓ個の異なる微小画像の組から少なくとも２つの微小画像領域に対して選択され、前記微小画像領域内に設けられることを特徴とする請求項１３または請求項１４に記載の方法。
【手続補正２】
【補正対象書類名】明細書
【補正対象項目名】００５３
【補正方法】変更
【補正の内容】
【００５３】
ここで、図３は、好ましくはロゴおよび／または英数字文字を含むグラフィック表示３を示している。グラフィック表示３は十字型３１の表示を備えた正方形の外部境界を有する濃淡値画像であり、十字型３１は同一のアームを有し、外側境界で終端している。十字型３１は、第１濃淡値３２ａを有する明るい背景に対して配置する。十字型３１の２つのアームは直角に交差し、異なる濃淡値３２ｂと３２ｃを含み、２つのアームの交差領域は第４濃淡値３２ｄを有する。
【手続補正３】
【補正対象書類名】明細書
【補正対象項目名】００５８
【補正方法】変更
【補正の内容】
【００５８】
ここで、図６は本発明による多層体の第１実施形態を示している。ここでは微小画像層６１は微小画像領域６１ｂを繰り返し有し、微小画像領域６１ｂは正方形のグリッドラスタ内に配置され、微小画像６１ｍａ、６１ｍｂおよび６１ｍｃを有する。その場合、微小レンズ層の微小レンズは微小画像領域６１ｂの各微小画像に関連付けられ、各微小画像領域内の微小レンズラスタと微小画像ラスタのラスタ幅は１０％未満だけ互いに異なっている。微小画像領域６１ｂのエッジ長は３００μｍ未満であるため、微小画像領域６１ｂは、人間の裸眼では解像できない。
【手続補正４】
【補正対象書類名】明細書
【補正対象項目名】００６３
【補正方法】変更
【補正の内容】
【００６３】
ここで、図７は、微小画像層７１が様々な微小画像領域７１ｂを有する第２実施形態を示している。各微小画像領域は異なる微小画像７１０１〜７１ｍの４つの微小画像を各々有し、ここでｍはｎ個の可能な微小画像から選択したものである（ｍ＜ｎ）。微小レンズはここでは従来技術に従って図４の実施形態のように正方形のラスタ内に配置され、図６を参照しながら上述した実施形態のように三つぞろいにできる正方形のラスタ内には再度配置されないので、このような配置は微小レンズの均一配置に関しては望ましい可能性がある。
【手続補正５】
【補正対象書類名】明細書
【補正対象項目名】００７１
【補正方法】変更
【補正の内容】
【００７１】
下記の表３は、微小画像８１ｍａ〜８１ｍｃの色値の重ね合わせによって異なる色を形成することを示している。
【表３】
2009541803.tif 000001